(57)【要約】    【課題】  米などを収容する包装袋において、包装袋内への異物を防ぎつつ優れた脱気性能を発揮できるようにする。    【解決手段】  チューブ状に形成したプラスチックフィルム２によって包装袋１を成形する。包装袋１の片面に１００μｍ未満の超微細な開口孔５を形成して通気領域６を設ける。この通気領域６は包装袋１の側縁に設けられ、被収容物Ａを充填包装した包装袋１を流通、貯蔵等する際、包装袋１の載置面から通気領域６が浮き上がる。これにより、載置する部分が水で濡れていたり、微細な埃があったとしても、毛細管現象などによって、開口孔５から水分あるいは細かな埃などが包装袋１内に侵入することがない。【選択図】        図１
2005219782.tif 000002
【特許請求の範囲】
【請求項１】
チューブ状に形成したプラスチックフィルムによって包装袋を成形するとともに、包装袋の片面に１００μｍ未満の超微細な開口孔を形成して通気領域を設けたことを特徴とする包装袋。
【請求項２】
前記通気領域が包装袋の側縁に設けられていることを特徴とする請求項１記載の包装袋。
【発明の詳細な説明】
【技術分野】
【０００１】
本発明は、米等の穀類を収容するための包装袋に関する。
【背景技術】
【０００２】
従来、米穀店では例えば１０ｋｇごとに精米した米を、合成樹脂フィルムの縁部を貼り合せた包装袋に収容して家庭等に配達している。このような包装袋においては、輸送、保管等のために米を収容・密封する際に、内部に多量の空気が残り、包装袋を積み重ねた際にかさ張るとともに、積み重ねた包装袋が不安定となる。
【０００３】
このような問題を解決するため、例えば、特許文献１には包装袋を構成するフィルム材に通気用の平行する多数切れ目を形成し、この切れ目を相互にずらして形成した通気性包装袋が提案されている。
【０００４】
また、特許文献２には、包装袋を構成するプラスチックフィルムに複数の微細な開孔部を設けた米穀類用包装袋が提案されている。（特許文献２）
【特許文献１】実開昭６１−６９０４３号公報
【特許文献２】特開平１１−７０６１９号公報
【発明の開示】
【発明が解決しようとする課題】
【０００５】
しかしながら、特許文献１に開示される包装袋は、フィルム材に形成した多数の切れ目によって包装袋の内外の通気が可能であるが、フィルム材に直接的に形成された切れ目によって脱気する構造であるから、切れ目部分においてフィルム材の引っ張り強度が低下してしまう。このため、運搬時に包装袋を投げたりあるいは保管時などにおいて包装袋を積み上げた際、切れ目部分に応力が加わると、切れ目が避けて内部に収容する米が抜け出す虞れがあるとともに、切れ目が設定した巾より広くなることから、切れ目から埃や細かな塵などが直接入り込み易くなるとうい問題があった。
【０００６】
この点に関し、特許文献２に開示される包装袋は、微細な開孔部により通気する構造であり、脱気性能に優れるとともに、包装袋の強度の低下も抑制しうるものである。また、開孔部も微細であるから蟻やぞうり虫などの害虫等の侵入も抑制できる構造であるが、包装袋の両面に開孔部が設けられているから、包装袋を載置した際、載置面が水で濡れていたり細かな埃がある場合、開孔部が埃や水分が侵入する危険性があり、特に、載置面が水で濡れていた場合、毛細管現象などによって、包装袋の内部に水分が侵入やすい。
【０００７】
そこで、本発明は、このような問題を解決して包装袋内部への異物の侵入を可及的に抑制することができる包装袋を製造することを目的とする。
【課題を解決するための手段】
【０００８】
前述の課題を解決するため、本発明の請求項１の包装袋は、チューブ状に形成したプラスチックフィルムによって包装袋を成形するとともに、包装袋の片面に１００μｍ未満の超微細な開口孔を形成して通気領域を設けたことを特徴とする。
【０００９】
このように構成した場合は、包装袋の片面にのみ１００μｍ未満の超微細な開口孔からなる通気領域が設けられているから、包装袋を載置した際、その表面側に通気領域に向ければ、載置面が水で濡れていたり、あるいは細かな埃があっても包装袋内部への侵入を抑制することが可能である。
【００１０】
本発明の請求項２の包装袋は、請求項１記載の包装袋において、前記通気領域が包装袋の側縁に設けられていることを特徴とする。
【００１１】
このように構成した場合は、包装袋に例えば米穀などを収容した場合、包装袋が膨らみ、側縁に１００μｍ未満の超微細な開口孔からなる通気領域が設けられていると、包装袋を載置した際、例えば、通気領域が載置面側に位置していたとしても、通気領域が載置面に密着することがない。これにより、載置面が水で濡れていたり、あるいは細かな埃があっても包装袋内部への侵入を抑制することが可能であり、被収容物を充填した包装袋を載置した際、通気領域を向ける方向に制約がない。
【発明の効果】
【００１２】
請求項１の発明によれば、貯蔵・流通等において被収容物を充填した包装袋を積み重ねても、脱気性能に優れるとともに、強度的にも優れ、包装袋の破袋等の防ぐことができる、また、微細な開孔部から害虫等の侵入を防ぎ、かつ、包装袋を載置した際、載置面に細かな埃が付着していたり水で濡れていたとしても、包装袋内への埃や水分等、異物の侵入も防ぐことができる。
【００１３】
請求項２の発明によれば、包装袋に例えば米穀などを収容した場合、包装袋が膨らみ、通気領域が載置面から浮き上がり通気領域が載置面に密着することがないから、より効果的に包装袋内への埃や水分等、異物の侵入も防ぐことができる。
【発明を実施するための最良の形態】
【００１４】
以下、本考案の実施例を図１〜図３を参照して説明する。１は例えばポリオレフィンなどのプラスチックフィルム２からなる米包装用の包装袋であり、チユ−ブ状に形成されたフィルム２の上下縁をヒートシールして袋状に貼り合せる。なお、包装袋１は、図１においては、フィルム２の下縁のみにヒートシールすることによって封止部１Ａを形成した包装袋１を図示しており、上端縁部は開口状態となっているが、包装袋１の開口部分から包装袋１の内部に被収容物Ａとして米などを収容した後、包装袋１の上縁部をヒートシールすることによって包装袋１を密封するものである。
【００１５】
包装袋１の片面には、孔径１００μｍ未満、好ましくは５０μｍ以上１００μｍ未満の開口孔５が形成され、これら開口孔５によって帯状の通気領域６を形成する。このように、開口孔５の孔径を１００μｍ未満とすることによって、包装袋１の内部に水分や微細な埃が侵入することを確実に防止できるようになっている。通気領域６は、包装袋１の側縁、例えば、図１に示すように、包装袋１の右側縁に形成する。なお、通気領域６を形成する位置は、右側縁に限らず左側縁に形成したり、図３に示すように包装袋１の上縁あるいは図示はしないが下縁に形成してもよく、または、右側縁と上側縁、右側縁と左側縁などの包装袋１の２辺の側縁、あるいは包装袋１の３辺の側縁や全周にわたって形成してもよく、要は包装袋１の側縁に形成すれば良い。このように、包装袋１の側縁に１００μｍ未満の開口孔５からなる帯状の通気領域６を形成することにより、図１に示すように、包装袋１に米などの被収容物Ａを収容した際、包装袋１が被収容物Ａによって膨らむ。このように被収容物Ａを充填包装した包装袋１を製造し、この形態で流通、貯蔵等に供されるものである。そして、図１に示すように、包装袋１を載置した際、その載置面から通気領域６が浮き上がる。
【００１６】
次に、本発明において、包装袋１の包装方法等について説明すると、包装袋１を構成するプラスチックフィルム２としては、ヒートシール等の熱溶着によって製袋することから、熱により溶融して相互に熱融着し得る性質を有する樹脂のフィルムを使用する。プラスチックフィルム２にはレ−ザ照射あるいは多数の針部材などの金属製治具等、あるいはその他の公知の方法によって１００μｍ未満の開口孔５が予め形成され、この開口孔５が側縁に位置するようにプラスチックフィルム２を連続したチューブ状に形成し、これを適時長さに切断し、底部をシールして上面を開口した包装袋１を形成する。この後、包装袋１の開口部分から被収容物Ａとして米などを収容した後、包装袋１の上縁部をヒートシールすることによって包装袋１を密封する。こうして成形した包装袋１の側縁に前記微細な開口孔５からなる通気領域６を形成する。なお、一例としては本実施例における通気領域６の幅は５０ｍｍ、各開口孔５のピッチは５ｍｍとしているが、かかる通気領域６の幅や各開口孔５のピッチは包装袋１の脱気性、易開封性、包装袋１の強度等を調整可能である。また、なお、プラスチックフィルム２を連続したチューブ状に成形する方法としてはインフレーション法あるいはガイド機構により熱融着可能なフィルムを二つ折に折り畳んでその重なり部を加熱によりシールすることで、連続したチューブ状の包装袋１を成形する方法、その他の公知の方法を適宜に選択可能である。
【００１７】
以上のように構成される本発明において、チユ−ブ状に形成されたフィルム２によって成形される包装袋１において、包装袋１の側縁に１００μｍ未満の開口孔５からなる帯状の通気領域６を形成することにより、貯蔵・流通等において内容物Ａを充填包装した包装袋１を積み重ねても、脱気性能に優れ、かつ、包装袋の破袋等の現象もなく、包装袋１の強度の低下も認めらない。更に、微細な開口孔５から蟻やぞうり虫などの害虫等の進入もない。このように、包装袋１の片面にのみ通気領域６を形成することにより、開口孔５からの異物の侵入を可及的に抑え、かつ、脱気に必要な通気性を確保できる。さらに、通気領域６が側縁に設けられているから、包装袋１を貯蔵・流通等する場合などにおいて、内容物Ａの充填によって膨らんだ包装袋１においては、側縁に設けた開口孔５が載置面から浮き上がり、たとえ載置する部分が水で濡れていたり、微細な埃があったとしても、毛細管現象などによって、開口孔５から水分あるいは細かな埃などが包装袋１内に侵入することがない。
【００１８】
以上、本発明の実施例について詳述したが、本発明は前記各実施例に限定されるものではなく、本発明の要旨の範囲内で種々の変形実施が可能である。例えば、包装袋の使用目的として米の包装袋を例にして説明したが、これに限らず各種食品用として用いることが可能であり、米の包装袋として限定されるものではない。また、通気領域の幅や開口孔のピッチやその配列なども適宜選定すればよい。さらに、本実施例では通気領域を帯状に形成したが、これに限らず、例えば、円形や四角形などの形状に通気領域を形成してもよい。
【図面の簡単な説明】
【００１９】
【図１】本発明の包装袋を示す正面図である。
【図２】同上包装袋の断面図である。
【図３】同上通気領域を上縁に形成した例を示す正面図である。
【符号の説明】
【００２０】
１    包装袋
２    プラスチックフィルム
５    開口孔
６    通気領域
Ａ    被収容物
【図１】
2005219782.tif 000003
【図２】
2005219782.tif 000004
【図３】
2005219782.tif 000005